(57)【要約】【課題】  鍵盤楽器を演奏する際、初心者にとっては、楽譜の旋律の個々の音と実際の鍵盤の位置との関連を理解することは難しい。理解の難しさは、学習の継続にも影響する。【解決手段】  本発明は、鍵盤楽器において、鍵盤の打鍵する面の奥側の一部分を覆う形で黒鍵上に浮かせるように設置した表示体に鍵盤の個々の音を５線上の音符や絵や文字などの表示記号で表示せしめ、演奏曲の旋律を構成する個々の音を前記表示体において用いている前記表示記号により楽譜上等に表示せしめる方法および装置により、楽譜の旋律の個々の音とそれに対応する鍵盤の位置を理解しやすくする。鍵盤の打鍵面奥側に、カード状部材３〜４を装着した鍵盤音表示体２を設置し、演奏曲旋律表示体１の表示に従い演奏する。一人ひとりの年齢や演奏技術の習熟度等をふまえ、使用時の目的に応じて、柔軟に、必要な情報をわかりやすく表示し、一人ひとりの鍵盤楽器演奏を支援する。【選択図】図４
2008090249.tif 000002
【特許請求の範囲】
【請求項１】
鍵盤楽器において、鍵盤の打鍵する面の奥側の一部分を覆う形で黒鍵上に浮かせるように設置した表示体に鍵盤の個々の音を５線上の音符や絵や文字などの表示記号で表示せしめ、演奏曲の旋律を構成する個々の音を前記表示体において用いている前記表示記号により楽譜上等に表示せしめることにより、楽譜の旋律の個々の音とそれに対応する鍵盤の位置を理解しやすくする、鍵盤楽器の演奏支援方法。
【請求項２】
鍵盤楽器の黒鍵の上にのせ置きまたは鍵盤のすき間から自立式で立ち上げる等、鍵盤の打鍵する面の奥側の一部分を覆う形で黒鍵上に浮かせるように設置し、真下にある鍵盤の個々の音を、５線上の音符や絵や文字などの表示記号で表示せしめた鍵盤音表示体と、演奏曲の旋律を構成する個々の音を、前記鍵盤音表示体で用いている前記表示記号により置き換えて表示せしめた演奏曲旋律表示体とを備える、請求項１に記載の演奏支援方法を具体化する、鍵盤楽器用演奏支援装置。
【請求項３】
前記鍵盤音表示体の個々の前記表示記号が着脱可能なカード状部材に印刷され、自在に書き込みや並び換えが可能な構成とした請求項２に記載の鍵盤楽器用演奏支援装置。
【発明の詳細な説明】
【技術分野】
【０００１】  本発明は、鍵盤楽器の演奏支援方法および鍵盤楽器用の演奏支援装置に関するものである。
【背景技術】
【０００２】  鍵盤楽器を演奏する際、楽譜の旋律の個々の音とそれに対応する鍵盤の位置を理解したうえで、演奏している。理解できない場合には、楽譜に書き込んだり、鍵盤上に直接シールを貼ったり書き込んだりして、個々の音の位置を表示している。
【発明の開示】
【発明が解決しようとする課題】
【０００３】  楽譜を見慣れていない者にとって、楽譜の旋律の個々の音と実際の鍵盤の位置との関連を理解することは難しいものであるが、現状では理解しないと実際の演奏をすることができない。
また、説明もむずかしいため、学習をはじめたばかりの幼児にとっては学習の継続にも影響する。
現状では、楽譜に書き込みをする方法や鍵盤にシールを貼ったり直接書き込んだりといった方法などで、楽譜の旋律を構成する個々の音と打鍵する鍵盤の位置を一致させようとしている。
しかし、鍵盤にシールを貼る方法や直接書き込む方法では、多数の鍵盤への表示に大変な手間がかかり、鍵盤を傷つけたり汚したりする場合もある。
【課題を解決するための手段】
【０００４】  鍵盤楽器において、鍵盤の打鍵する面の奥側の一部分を覆う形で黒鍵上に浮かせるように設置した表示体に鍵盤の個々の音を５線上の音符や絵や文字などの表示記号で表示せしめることにより、楽譜の旋律の個々の音とそれに対応する鍵盤の位置を理解しやすくする演奏支援方法により、課題を解決する。
鍵盤楽器の黒鍵の上にのせ置きまたは鍵盤のすき間から自立式で立ち上げる等、鍵盤の打鍵する面の一部分を覆う形で設置し、真下にある鍵盤の個々の音を、５線上の音符や絵や文字などの表示記号で表示せしめた鍵盤音表示体２と、演奏曲の旋律を構成する個々の音を、前記鍵盤音表示体２で用いている前記表示記号により置き換えて表示せしめた演奏曲旋律表示体１とを備える鍵盤楽器用演奏支援装置により、前記演奏支援方法を具体化する。
演奏曲については、図１の演奏曲旋律表示体１を使って、前記鍵盤音表示体で用いている前記表示記号により置き換えて、演奏曲の旋律を構成する個々の音を表示する。演奏曲旋律表示体１は楽譜に貼り付けた状態で、または直接譜面台に置く。
鍵盤楽器の、演奏に必要な音域周辺の鍵盤の打鍵面の奥側を部分的に覆う形で黒鍵上に浮かせるように、図２の２に示す鍵盤音表示体２を設置する。
鍵盤音表示体２に直接、音階の個々の音を、５線上の音符や前記表示記号により表示せしめるか、または鍵盤音表示体２の上に、図２の３〜４に示すカード状部材を装着する。カード状部材３〜４は、単語カードのように、１枚で１音を表すものとする。カード状部材３〜４は、演奏に必要なものだけを鍵盤音表示体２に装着する。
図３に鍵盤上にセットした際の側面図を示している。
【発明の効果】
【０００５】  上述のように、演奏曲旋律表示体１と、カード状部材３〜４のうち演奏に必要なものだけを装着した鍵盤音表示体２は、対象者にあわせた方法で個々の音を表示するため、子どもから高齢者まで、わかりやすく楽しめる。
学習をはじめたばかりの段階で使用すれば、はじめから楽器に触れ、演奏ができるため、学習意欲の向上につながる。
鍵盤の打鍵面の奥側の部分を利用して表示するため、演奏に支障が少ない。
鍵盤音表示体２は鍵盤を傷つけたり汚したりせず、着脱が簡単であることから、鍵盤楽器のある所ならどこででも使うことができる。
このような、ユニバーサルデザインの視点にたつ技術であるため、音楽教室や音楽会、音楽療法など、さまざまな場面において、だれでもが、自らが演奏者となれる効果がある。
【発明を実施するための最良の形態】
【０００６】  まず、鍵盤音表示体２について述べる。
鍵盤音表示体２は鍵盤の打鍵面の奥側の上部に設置する。
鍵盤音表示体２は、１オクターブ程度の幅で鍵盤の２分の１程度の奥行きで、１つ１つの鍵盤と同じ幅の区切り線を入れたものとする。
１つ１つの鍵盤と同じ幅の透明なポケットをつくり、カード状部材３〜４を入れられるようにしてもよい。白鍵を表示するポケットと重ならないよう鍵盤音表示体２の上部に、黒鍵とほぼ同じ幅のポケットをつければカード状部材３〜４により、すべての音を表示することができる。
鍵盤音表示体２を黒鍵上にのせ置く場合には、鍵盤音表示体２の裏面に滑り止めをつけたり、何度でも粘着可能な状態にするなど、ずれないようにしておく。マグネットと金具を使ってずれないようにしてもよい。
鍵盤音表示体２に余白をつくり鍵盤のすき間に差し込むなど、自立式で黒鍵に直接ふれずに設置できるようにしてもよい。【０００７】  次に、カード状部材３〜４について述べる。
単語カードのような形のカード状部材３〜４を、鍵盤音表示体２の区切りに合わせて重ね、ずれないように粘着式またはマグネットなどにより装着する。または、カード状部材３〜４を鍵盤シートのポケットの中に入れこむ。
白鍵の音を示すカード状部材４ａ〜４ｇは、１つの白鍵と同じ幅、鍵盤音表示体２の奥行きの３分の２くらいの長さとする。黒鍵の音を示すカード状部材３ａ〜３ｇは、１つの黒鍵と同じ幅、鍵盤音表示体２の奥行きの３分の１くらいの長さとする。
個々の音の表示は、５線上の音符と、対象者に応じて、音を連想させる絵やひらがな、カタカナ、アルファベット、数字、点字などの表示記号により行う。
絵の部分をぬり絵にしたり、自分で書き込むようにしたり、対象者にあわせて工夫するとよい。
大きな紙に印刷して自分でカード状に切り抜いて使えるようにすれば補充もできて便利である。
カード状部材３〜４を使わずに鍵盤音表示体２に音を記載する方法もあるが、１音ごとの着脱式のカード状部材の方が、演奏曲に応じ必要な範囲で自由につけかえることができる。
カード表示は予め印刷しておいても、その都度記入してもよい。５線上の音符のみあとで書き込む形にすれば、「ど」「れ」「み」「ふぁ」「そ」「ら」「し」７種類の白鍵用、黒鍵用部材を複数枚用意すれば柔軟に音の表示ができる。【０００８】  ここで、演奏曲旋律表示体１の曲を演奏する場合を説明する。図４のように演奏曲旋律表示体１を楽譜に貼り付ける。演奏楽器には、使用する音域周辺において、鍵盤の打鍵する面の奥側の一部分を覆う形で黒鍵に浮かせるように鍵盤音表示体２を設置する。鍵盤音表示体２に装着するカード状部材３〜４も、演奏に必要なもののみとすれば、わかりやすい。
「ど」「れ」「み」「ふぁ」「そ」はカード状部材４ａ〜４ｅを装着して表示し、「ど」の半音上の音は、カード状部材３ａを装着して表示する。【０００９】  次に、演奏曲旋律表示体１について述べる。
演奏曲旋律表示体１は、演奏曲の旋律の個々の音を、前記鍵盤音表示体２で用いている前記表示記号により置き換えて表示する。５線と５線の間に貼れるような幅と長さにし、音符に対応する位置に表示記号により表示し、楽譜に貼りつけて使用することが望ましい。シールのように簡単に粘着できるように作成しておけば便利である。
ただし、学習目的でない場合は、演奏曲旋律表示体１を単独で譜面台に置けば、より簡単に演奏できる。【００１０】  演奏者を主体として、柔軟に、必要な情報をわかりやすく表示し、一人ひとりの鍵盤楽器演奏を支援するための方法であり、装置であるため、鍵盤音表示体２とカード状部材３〜４、演奏曲旋律表示体１の使用にあたっては、一人ひとりの年齢や演奏技術の習熟度などをふまえ、使用時の目的に応じて使用することが重要である。
【図面の簡単な説明】
【００１１】
【図１】本発明の演奏曲旋律表示体の一実用例を示す正面図である。
【図２】本発明の鍵盤音表示体とカード状部材の一実用例を示す正面図である。
【図３】本発明の鍵盤楽器における使用側面図である。
【図４】本発明の鍵盤楽器の演奏支援装置の一実用例を示す正面図である。
【符号の説明】
【００１２】  １  演奏曲旋律表示体
２  鍵盤音表示体
３  黒鍵の音を表示するカード状部材
４  白鍵の音を表示するカード状部材
【図１】
2008090249.tif 000003
【図２】
2008090249.tif 000004
【図３】
2008090249.tif 000005
【図４】
2008090249.tif 000006